(57)【要約】【課題】一部のバックライトが不点灯となった場合でも、使い勝手の良い表示装置、テレビ受像機を提供する。【解決手段】  液晶テレビは、受信部、ＴＶデコーダ、スケーリング部、ＯＳＤ合成部、メイン制御部、操作部、液晶ディスプレイを備える。液晶ディスプレイは、表示パネル、点灯駆動部、不点灯検出部を備える。不点灯検出部は、点灯駆動部の駆動電圧の上昇を検出して、不点灯である旨の信号をメイン制御部に出力する。メイン制御部は、これを受けて不点灯時処理ルーチンを実行する。メイン制御部は、不点灯時処理ルーチンを実行することにより、不点灯の冷陰極管の駆動を停止するよう点灯駆動部に指示する。また、メイン制御部は、点灯している冷陰極管の領域に、不点灯となる前の正常時に前記表示パネルに表示していた表示領域全体を、なお点灯している冷陰極管の領域に表示できるスケールに調整するよう、スケーリング部に指示する。【選択図】図２
2008244696.tif 000002
【特許請求の範囲】
【請求項１】
映像または画像を表示する液晶表示パネルと、
前記液晶表示パネルを該液晶パネルの背面から照射する複数のバックライトと、
前記バックライトを駆動する点灯駆動手段と、
所定の放送番組を受信して、この放送番組の映像信号を出力する受信手段と、を備える液晶テレビ受像機において、
前記バックライトのいずれかが不点灯になったことを検出する不点灯検出手段と、
前記バックライトの一部が不点灯になったことを前記不点灯検出部が検出した場合に、前記不点灯となる前の正常時に前記表示パネルに表示していた表示領域全体が前記バックライトがなお点灯している表示領域に収まるよう、前記入力した映像信号のスケールを縮小するスケール手段と、
液晶テレビ受像機本体の状態を含む情報を表示するＯＳＤを出力するＯＳＤ出力手段と、を備え、
前記スケール手段は、前記入力した映像信号の縦横のアスペクト比を保持しながらスケールを縮小すると共に、画面の両端にレターボックスを追加した映像信号を出力し、
前記ＯＳＤ出力手段は、前記バックライトが不点灯になった表示領域の情報のＯＳＤと併せて、ユーザが修理を受けるための連絡先の情報のＯＳＤを前記レターボックスの部分に出力する液晶テレビ受像機。
【請求項２】
映像または画像を表示する液晶表示パネルと、
前記液晶表示パネルを該液晶パネルの背面から照射する複数のバックライトと、
前記バックライトを駆動する点灯駆動手段と、を備える表示装置において、
前記バックライトのいずれかが不点灯になったことを検出する不点灯検出手段と、
前記バックライトの一部が不点灯になったことを前記不点灯検出部が検出した場合に、前記不点灯となる前の正常時に前記表示パネルに表示していた表示領域全体が、前記バックライトがなお点灯している表示領域に収まるよう、前記入力した映像信号のスケールを縮小するスケール手段と、を備える表示装置。
【請求項３】
前記スケール手段は、前記入力した映像信号の縦横のアスペクト比を保持しながらスケールを縮小すると共に、画面の両端にレターボックスを追加した映像信号を出力する請求項２に記載の表示装置。
【請求項４】
前記バックライトの一部が不点灯になった表示領域と、前記バックライトがなお点灯している表示領域の境目付近であって、前記不点灯になった表示領域に、該表示領域を照らすバックライトが不点灯である旨のＯＳＤを表示するＯＳＤ手段を備える請求項２〜３のいずれかに記載の表示装置。
【請求項５】
前記ＯＳＤ出力手段は、前記バックライトが不点灯になった表示領域の情報のＯＳＤを前記レターボックスの部分に付加する請求項３に記載の表示装置。
【請求項６】
前記ＯＳＤ出力手段は、前記ＯＳＤと併せて、ユーザが修理を受けるための連絡先を表示するＯＳＤを出力する請求項４〜５のいずれかに記載の表示装置。
【請求項７】
請求項２〜６のいずれかの表示装置と、
所定の放送番組を受信して、この放送番組の映像信号を出力する受信部と、を備え、
前記スケール手段は、前記受信部から映像信号を入力する液晶テレビ受像機。
【発明の詳細な説明】
【技術分野】
【０００１】
本発明は、バックライトから出力された光により文字、画像を出力する表示装置、液晶テレビ受像機に関し、特にバックライトが不点灯となった場合の手段に関する。
【背景技術】
【０００２】
従来より、液晶を用いて映像を出力する表示装置やテレビ受像機が実用化されている。液晶表示装置は、２枚の透明板と、その中に入れられた液晶と、２枚の透明板それぞれに張られた偏向板と、各画素の位置で液晶に電圧を印加するための透明電極、ドライバー回路と、表示面の裏側から光を液晶に照射するバックライト等を備えている。ドライバー回路により所定の画素に電圧を印加すると、印加した電圧に応じて液晶分子が移動し、これによりバックライトで照らされた光の透過率が変わる。このように液晶表示器では、液晶分子自体は発光せず、透過率を変えるだけである。したがって、映像、画像を表示するためには、バックライトにより表示面の裏側から液晶表面を照らすことが必要となる。このバックライトは、ＣＣＦＬ（冷陰極管、Cold Cathode Fluorescent Lamp）等で構成されている。バックライトが不点灯になれば、そのバックライトに対応する画素は暗くなり、文字、画像を表示できない。
【０００３】
特許文献１には、一部のバックライトが不点灯となった場合にも、むやみに蛍光灯駆動回路を強制的にオフにすることを回避し、故障箇所のみの不点灯処理をするようにした表示装置の構成が開示されている。特許文献１には、所定の操作により故障箇所の情報を表示する旨の記載がある。
【０００４】
特許文献２には、一定時間経過して表示されていない表示部分がある場合に、文字や図形などが表示されていない部分のバックライトについては、不点灯する液晶テレビ受像機が開示されている。
【特許文献１】特開２００４−５３９８８公報
【特許文献２】特開２００６−１３９４２公報
【発明の開示】
【発明が解決しようとする課題】
【０００５】
しかしながら、特許文献１の構成では、確かに、むやみに蛍光灯駆動回路を強制的にオフにすることを回避してはいるが、一部が欠けた状態で表示されるものであった。したがって一部分のバックライトが不点灯した場合、一部分しか表示されないから、表示装置やテレビ受像機として結局使い物にならないものであった。よって、ユーザは、サービスマンが修理に来るまで使えないことに変わりなく、表示装置の使い勝手を犠牲にするものであった。
【０００６】
そこで、一部のバックライトが不点灯となった場合でも、使い勝手の良い表示装置、テレビ受像機を提供することを目的とする。
【課題を解決するための手段】
【０００７】
本発明は、上述の課題を解決するための手段を以下のように構成している。
【０００８】
（１）  映像または画像を表示する液晶表示パネルと、
前記液晶表示パネルを該液晶パネルの背面から照射する複数のバックライトと、
前記バックライトを駆動する点灯駆動手段と、を備える表示装置において、
前記バックライトのいずれかが不点灯になったことを検出する不点灯検出手段と、
前記バックライトの一部が不点灯になったことを前記不点灯検出部が検出した場合に、前記不点灯となる前の正常時に前記表示パネルに表示していた表示領域全体が、前記バックライトがなお点灯している表示領域に収まるよう、前記入力した映像信号のスケールを縮小するスケール手段と、を備える。
【０００９】
この構成では、スケール手段は、不点灯検出手段がバックライトのいずれかが不点灯になった場合に、前記不点灯となる前の正常時に前記表示パネルに表示していた表示領域全体が、前記バックライトがなお点灯している表示領域に収まるよう、前記入力した映像信号のスケールを縮小する。したがって、ユーザは、バックライトのいずれかが不点灯になった場合も、部分的にしか表示できないのではなく、コンテンツ全体を視聴できるから、表示装置として使用することができる。サービスマンが修理に来るまで、事実上全く使えないといった不具合を解消でき、表示装置の使い勝手を向上させることができる。
【００１０】
（２）  前記スケール手段は、前記入力した映像信号の縦横のアスペクト比を保持しながら前記スケールを縮小すると共に、画面の両端にレターボックスを追加した映像信号を出力する。
【００１１】
前記バックライトがなお点灯している表示領域は、必ずしも正常時に表示していたアスペクト比と同じではない。この構成では、スケール手段がアスペクト比を保持しながらスケールを縮小するので、縮小した表示領域がひずんでいるという不具合を解消できる。
【００１２】
（３）  前記バックライトの一部が不点灯になった表示領域と、前記バックライトがなお点灯している表示領域の境目付近であって、前記不点灯になった表示領域に、該表示領域を照らすバックライトが不点灯である旨のＯＳＤ（On-Screen Display）を表示するＯＳＤ手段を備える。
【００１３】
バックライトが不点灯となっても、前記バックライトがなお点灯している表示領域の境目付近であれば、なお点灯しているバックライトから漏れる光により、うっすらと表示がされる。この構成では、前記バックライトがなお点灯している表示領域の境目付近であって、前記不点灯になった表示領域に、該表示領域を照らすバックライトが不点灯である旨の表示をするから、ユーザに故障であることを伝えることができる。また、故障しているバックライトがどれかを示すことができる。
【００１４】
（４）  前記ＯＳＤ出力手段は、前記バックライトが不点灯になった表示領域の情報のＯＳＤを前記レターボックスの部分に付加する。
【００１５】
レターボックスの部分には、バックライトの光が液晶表示パネルに照射している。したがって、映像、文字を表示することが可能である。この構成では、アスペクト比を元の信号表示するためにコンテンツを表示していないが、前記バックライトが不点灯になった表示領域の情報のＯＳＤを付加する。したがって、この構成によれば、ユーザがコンテンツを視聴することを妨げることなく、バックライトの故障の状態を表示することができる。
【００１６】
（５）  前記ＯＳＤ出力手段は、前記ＯＳＤと併せて、ユーザが修理を受けるための連絡先を表示するＯＳＤを出力する。
【００１７】
この構成では、ユーザが修理を受けるための連絡先を表示するので、ユーザは、取扱説明書や連絡先を探さなくても、故障した状態から早期に復帰することができる。バックライトが故障するのは、購入時から時間が経過しており、たとえば、取扱説明書の保管場所や、連絡先がわからなくなってしまうことがある。このような場合でも、取扱説明書や、場合により表示装置の裏側に記載している連絡先を探さなくても、故障した状態から早期に復帰することができる。
【００１８】
（６）さらに、上記（１）〜（５）の表示装置と、
所定の放送番組を受信して、この放送番組の映像信号を出力する受信部と、を備え、
前記スケーリング部は、前記受信部から映像信号を入力する液晶テレビ受像機としてもよい。
【発明の効果】
【００１９】
本発明の表示装置、液晶テレビ受像機によれば、バックライトのいずれかが不点灯になった場合も、部分的にしか表示できないのではなく、ユーザは、コンテンツ全体を視聴できるから、表示装置として使用することができる。サービスマンが修理に来るまで、事実上全く使えないといった不具合を解消でき、表示装置の使い勝手を向上させることができる。
【発明を実施するための最良の形態】
【００２０】
図１を用いて、本実施形態のデジタル放送録画装置（図中１で図示）の構成について説明する。液晶テレビ１は、デジタル放送を受信して、液晶表示器に表示する。
【００２１】
次に、液晶テレビ１の構成について説明する。液晶テレビ１は、チューナ部２と、ＴＶデコーダ２５、スケーリング部２６、ＯＳＤ（オンスクリーンディスプレイ）合成部５、Ｄ／Ａ変換器６１，６２、制御部７、操作部８、液晶ディスプレイ９を備え、外部にアンテナ１０１を備える。
【００２２】
アンテナ１０１は、電波を受信する。チューナ部２（本発明のチューナ部に相当する。）は、チューナパック２１、地上デジタルモジュール２２を備えている。チューナパック２１は、ＩＦフィルタと、ＩＦアンプ等とを備えている。ＩＦフィルタ（intermediate frequency）は制御部７から指示された仮想チャンネルに対応する所定の物理チャンネルの信号を通す。ＩＦアンプは、ＩＦフィルタから出力された信号を増幅する。以上の構成により、チューナパック２１は、制御部７により指定されたチャンネルの放送信号を抽出し、地上デジタルモジュール２２に出力する。
【００２３】
地上デジタルモジュール２２は、復調回路、誤り訂正回路、マルチプレクサ、バッファメモリを備えている。復調回路は、入力された放送信号をデジタルデータであるＴＳ（トランスポートストリーム）にＯＦＤＭ（Orthogonal Frequency Division Multiplexing）復調し、誤り訂正回路に出力する。誤り訂正回路は入力されたＴＳ（トランスポートストリーム）の誤り情報を訂正する。
【００２４】
ＴＳには複数の仮想チャンネルの番組が多重化されて送信されている。デマルチプレクサは、これらの仮想チャンネルのうちの１チャンネルのパケットを抽出して、抽出したパケットに格納されているデータをバッファメモリに記憶させるとともに、チャンネル番号の情報を制御部７に出力する。以上の構成により、地上デジタルモジュール２２は、ＴＳから制御部７が指定した所定の仮想チャンネルの映像信号、チャンネル番号の情報を出力する。
【００２５】
ＴＶデコーダ２５は、スケーリング部２６からの指示又は許可を受けてから、チューナ２１内のバッファメモリが記憶するデータを適宜読み出す。そして、読み出したデータから映像データと音声データとを分離する。また、ＴＶデコーダ２５は、映像データと音声データを両データを伸長し、出力する。
【００２６】
スケーリング部２６は、入力した映像信号のスケールを拡大調整、縮小調整したり、表示領域を調整するため、受信部２から出力された映像の上下または左右にレターボックスを付加する。また、不点灯時処理ルーチン７３を実行した場合には、今なお点灯している領域だけで、故障前に表示していた映像全体を液晶ディスプレイ９に表示するようスケールを調整したり、点灯している領域内で、元の映像とアスペクト比を合わせられるよう、受信部２から出力された映像の上下または左右にレターボックスを付加する。
【００２７】
ＯＳＤ合成部５は、液晶テレビ１の各種設定を表示するための文字図形の映像信号を出力する。ＯＳＤ合成部５は、ＯＳＤ（On-Screen Display）のキャラクタ文字が記録されたＲＯＭと、ＯＳＤ用ビデオＲＡＭ等を備えており、制御部７から与えられる制御信号に基づいて、このＲＯＭに記録された文字又は図形を用いて、液晶テレビ１本体の情報や、本体の動作の設定のための情報を表示するＯＳＤを生成する。また、ＴＶデコーダ２５から映像信号が出力されている場合には、ＯＳＤと、ＴＶデコーダ２５から出力された映像信号を合成する。
【００２８】
Ｄ／Ａ変換器６０は、ＯＳＤ合成部５から出力された音声信号をアナログの音声信号に変換し、表示器１０２に出力する。
【００２９】
制御部７は、マイコンで構成し、ＣＰＵ、制御部７内のサブプログラムを格納するＲＯＭ７１、制御部７の計算結果を一時的に記憶するＲＡＭ７２を備え、液晶テレビ１内の各部を制御する。例えば、受信部２への選局を指示したり、点灯駆動部９１に駆動の停止を指示したり、スケーリング部２６に出力すべきスケールを指示する。また、制御部７は、不点灯時処理ルーチン７３等を上記ＲＯＭ内に格納している。
【００３０】
操作部８はリモコンからの赤外信号を受け付ける受光部や、本体スイッチなどを備え、制御部７を操作するための制御入力を受け付ける。液晶テレビ１またはリモコンの操作子が押下げられると、所定の制御入力が制御部７に入力される。
【００３１】
液晶ディスプレイ９は、表示パネル９０、表示面の裏側から光を液晶に照射する冷陰極管９５１、９５２（本発明のバックライトに相当する。）、点灯駆動部９７、不点灯時検出部９８等を備えている。表示パネル９０は、２枚の透明板と、その中に入れられた液晶と、２枚の透明板それぞれに張られた偏向板と、各画素の位置で液晶に電圧を印加するための透明電極、ドライバー回路とを備える。
【００３２】
ドライバー回路は、ＯＳＤ合成部５の出力をＤ／Ａ変換し、それぞれの画素に印加する電圧を出力する。表示パネルには、マトリクス状に透明電極が並んでいる。各々の画素の近傍の液晶分子は、ドライバ回路により透明電極に印加した電圧の大きさに応じて移動する。これにより、各画素において、冷陰極管９５１、９５２で照らされた光の透過率が変わり、画像が表示される。
【００３３】
冷陰極管９５１、９５２は、ＣＣＦＬ（冷陰極管、Cold Cathode Fluorescent Lamp）等で構成する。ここで、液晶分子自体は発光せず、透過率を変えるだけである。したがって、冷陰極管９５１、９５２により表示面の裏側から液晶表面を照らすことが必要となる。バックライトが不点灯になれば、そのバックライトに対応する画素は暗くなる。
【００３４】
点灯駆動部９７は、定電流回路を備え、冷陰極管９５１、９５２を点灯させる。
【００３５】
不点灯検出部９８は、点灯駆動部９７の定電流回路の出力電圧を検出し、一定電圧以上であれば、不点灯である旨の信号を制御部７に出力する。点灯駆動部９１は、定電流に制御して冷陰極管９５１、９５２を点灯させるから、冷陰極管９５１、９５２内の抵抗が大きくなると、電圧を増加させるように働く。冷陰極管９５１、９５２内が導通しなくなり、点灯駆動部９１が冷陰極管９５１、９５２に印加する電圧は大きくなる。そこで、不点灯検出部９８は、この電圧の増加を検出して不点灯である旨の信号を出力する。不点灯検出部９８は、例えば、定電圧源と比較器とを備える構成とすることができる。この定電圧源は、点灯駆動部９７の定電流回路の出力電圧の閾値として用いる。これにより、不点灯検出部９８は、比較器の出力を不点灯である旨の信号として出力できる。
【００３６】
また、液晶ディスプレイ９は、アンプ、スピーカを内蔵しＤ／Ａ変換器６２から入力された音声信号を出力する。
【００３７】
また、この実施形態では、アンテナ１０１から受信しているが、ケーブルテレビ送信網を通じて受信するものでも良いし、受信部２は、アナログ形式のテレビ信号を受信するものでもよい。
【００３８】
次に、図２を用いて、不点灯時の動作を説明する。図２（Ａ）は、正常時の表示状態を表している。この場合、図２（Ａ）の右図のように表示パネル９０の全画面で表示する（（表示領域９０１で図示。）。図２（Ｂ）は、冷陰極管９５２が不点灯になった場合の表示例１を表している。
【００３９】
なお、図２（Ａ）で示す全画面の表示領域９０１は、本発明の「前記不点灯となる前の正常時に前記表示パネルに表示していた表示領域」に相当する。
【００４０】
また、冷陰極管９５２が不点灯になった場合というよりも、厳密には、冷陰極管９５２の導通が悪くなり、不点灯検出部９８がこれを検出して、制御部７が点灯駆動部９７の駆動を停止するという手順になる。これにより、点灯駆動部９７を過電圧から保護する。以下では、これらの手順を経て不点灯になった場合を含めて、単に「不点灯になった場合」と称することにする。
【００４１】
図２（Ｂ）の表示例１のように冷陰極管９５２が不点灯になった場合には、図２（Ｂ）の右図のように、冷陰極管９５２だけを不点灯にし、冷陰極管９５１を点灯させる。点灯している領域は、画像９０２の領域になる。また、スケーリング部２６は、冷陰極管９５２の以外の領域全体（すなわち、冷陰極管がなお点灯している表示領域）に、スケーリング部２６から出力された映像信号の映像がすべて収まるようにスケールを調整する。図２（Ａ）の例であれば、横方向のスケールを同等にし、縦方向のスケールを半分にする。これにより、冷陰極管９５２が不点灯した場合であっても、コンテンツの一部を表示するのではなく、全体を表示することができる。したがって、ユーザは、不点灯前に表示していた表示領域全体（図２（Ａ）に示す領域９０１）を視聴することができる。
【００４２】
図３を用いて、図２（Ｂ）とは異なる、不点灯時の表示例２について説明する。図３（Ａ）、（Ｂ）は、図２（Ｂ）のように冷陰極管９５２が消灯した場合の表示例を示している。ここで、表示パネル９０自体は、図２（Ｂ）右図のように冷陰極管９５１の領域全体（９０３の画像のある領域）に表示することができる。図３（Ａ）の例は、元の画像と縦横のアスペクト比を一定に保つため、スケーリング部２６は、元の画像を縦横共に半分のスケールに縮小すると共に、左側に（右側でも良い。）レターボックスを追加している。図３（Ａ）の例では、左側にレターボックス９０３を追加している。図３（Ｂ）の例では、冷陰極管９５１に対応する領域の両側にレターボックス９０４、９０５を追加している。
【００４３】
なお、冷陰極管９５１のみが不点灯となった場合には、点灯できる冷陰極管９５２について、図２（Ｂ）、図３（Ａ）、（Ｂ）の例を容易に適用することができる。
【００４４】
図４を用いて、不点灯時の表示例３について説明する。図４の例では、冷陰極管を３本に増やした場合に、中央の冷陰極管９５２が不点灯となった場合を示している。ここで、表示パネル９０自体は、冷陰極管９５１、９５３の領域それぞれに表示することができる。図４（Ａ）の例は、縦方向のスケールだけを１／３にしている。図４（Ｂ）の例では、元の画像と縦横のアスペクト比を一定に保つため、スケーリング部２６は、元の画像を縦横共に１/３のスケールに縮小すると共に、レターボックスを追加している。図４（Ｂ）の例では、冷陰極管９５１に対応する領域の両側にレターボックス９０５、９０６を追加している。図４（Ｂ）の例において、図３（Ａ）の例のように、片側にレターボックス９０３を追加してもよい。また、図４（Ｂ）の例において、表示パネル９０のうち、冷陰極管９５１が照射する領域でなく、冷陰極管９５３が照射する領域に、不点灯前に表示していた表示領域全体（図２（Ａ）に示す領域９０１）を縮小表示させても良い。
【００４５】
図４（Ｃ）のように、端側の冷陰極管９５３が不点灯になった場合には、その他の冷陰極管９５１、９５２を合わせた領域について、縦方向のスケールを２／３にする。また、横方向にもスケールを２／３にして、図３（Ａ）、（Ｂ）のようにレターボックスを追加しても良い。この実施例は、冷陰極管９５１のみが不点灯になったときも同様に適用することができる。
【００４６】
さらに、冷陰極管を増やした場合に、残りの冷陰極管で表示できる領域が２つに分断された場合には、その分断された２つの領域のうちいずれかに（大きい領域の方が好ましい）、不点灯前に表示していた表示領域全体（図２（Ａ）に示す領域９０１）を縮小して表示させればよい。この場合には、図４（Ａ）〜（Ｃ）の例を容易に適用できる。
【００４７】
次に図５のフロー図を用いて、不点灯時の処理について説明する。前述のとおり、不点灯になる前に、点灯駆動部９７が駆動する冷陰極管９５２の駆動電圧が大きくなる。ＳＴ１で、不点灯検出部９８はこれを検出して、不点灯である旨の信号を制御部７に出力する。制御部７は、この信号を検出したかどうか判断する。制御部７は、不点灯検出部９８からの不点灯信号がされるまで（ＳＴ１のＮＯ）、この処理については待機する。また、制御部７は、この信号を検出した場合には（ＳＴ１のＹＥＳ）、不点灯時処理ルーチン７３が呼び出され、制御部７は、ＳＴ２以下を実行する。
【００４８】
ＳＴ２で、制御部７は、点灯駆動部９７に冷陰極管のうち不点灯となった冷陰極管の駆動を停止するよう指示する。
【００４９】
ＳＴ３で制御部７は、スケールの変更をスケーリング部２６に指示する。例えば、以上図２〜図４で示したようにスケールを変更する。以上図２〜図４で示したようにレターボックスで表示しても良い。その後、図４のフローは終了する。
【００５０】
なお、バックライトの電圧をＡ/Ｄ変換し、制御部７に入力して、制御部７が閾値と比較するようにしてもよい。また、制御部７がＡ/Ｄ変換器を内蔵するマイコンとして構成し、バックライトの電圧を制御部７に入力して、Ａ/Ｄ変換器の出力閾値と比較するようにしてもよい。
【００５１】
次に、図６、図７を用いて、冷陰極管の不点灯時のＯＳＤ表示の例について説明する。
【００５２】
図６（Ａ）は、図２（Ｂ）の実施例に適用するＯＳＤ表示例を示している。ここで、図２（Ｂ）の実施例は、液晶ディスプレイ９が２つの冷陰極管９５１、９５２を備える実施例であって、縦方向のみスケール変更する実施例である。ここで、領域９０２の下はバックライトが不点灯となっており表示できない。しかし、冷陰極管９５２の領域の境目には、冷陰極管９５１から漏れる光がうっすらと当たるので、この部分に文字でＯＳＤ出力する。図６（Ａ）に示すように、バックライトが不点灯となっている箇所を矢印で示したり、ユーザが故障を連絡するサービスセンタの窓口の電話番号を示したりすることができる。バックライトが不点灯となっている箇所にこのようなＯＳＤを出力するので、不点灯である位置を示すことができる。また、表示領域のスケールを小さくしており、バックライトが不点灯となっている領域に表示するのでコンテンツの視聴を邪魔することがない。さらに、サービスセンタの窓口の電話番号を示しているので、購入してから日が経過して、取扱説明書をわざわざ探さなくても、ユーザは直ちにサービスセンタに連絡でき、液晶ディスプレイ９の画面が小さくなった状態から開放される。このように冷陰極管９５１、９５２が不点灯となっても、コンテンツの全体を視聴できると共に、元のスケールに早期に復帰できる。
【００５３】
なお、図６（Ａ）で示した表示項目は、以下の表示例も同様とすることができる。
【００５４】
図６（Ｂ）は、図４（Ｃ）の実施例に適用するＯＳＤの表示例を示している。ここで、図４（Ｃ）の実施例は、液晶ディスプレイ９が３つの冷陰極管９５１〜９５３を備え、一番下端の部分の冷陰極管９５３が不点灯になった場合の表示例であって、縦方向のみスケール変更する表示例である。図６（Ｂ）の表示例は、図６（Ａ）と同様に、冷陰極管９５２の領域の境目には、冷陰極管９５１から漏れる光がうっすらと当たるので、この部分に文字でＯＳＤを出力する。故障している領域に表示することにより、故障している冷陰極管９５１がどれかを示すことができる。
【００５５】
図６（Ｃ）の例は、図４（Ａ）の実施例に適用するＯＳＤ表示例を示している。ここで、図４（Ａ）の表示例は、液晶ディスプレイ９が３つの冷陰極管９５１〜９５３を備え、中央の部分の冷陰極管９５２が不点灯になった場合の実施例であって、縦方向のみスケール変更する表示例である。図６（Ｃ）の例では、図６（Ａ）と同様に、冷陰極管９５２の領域の境目には、冷陰極管９５１から漏れる光がうっすらと当たるので、この部分に文字でＯＳＤ出力する。
【００５６】
図６（Ｄ）の例は、図６（Ｃ）と同様、図４（Ａ）の実施例に適用するＯＳＤ表示例を示している。この場合、冷陰極管９５３の領域は点灯しており、表示することができるので、この領域にＯＳＤ表示をする。上の領域を矢印「↑」で示して、中央部が不点灯であることを示す。
【００５７】
図７（Ａ）の例は、図３（Ｂ）の実施例に適用するＯＳＤの表示例を示している。ここで、図３（Ｂ）の実施例は、液晶ディスプレイ９が２つの冷陰極管９５１、９５２を備える実施例であって、縦横のアスペクト比を保ったままスケール変更する実施例である。この場合、左右にレターボックス９０４、９０５を付加して、表示部分を黒く塗りつぶしているから、このうちのいずれかに冷陰極管９５１〜９５３のいずれが不点灯なのかを表示する。図７（Ａ）の例では、「真ん中の領域はバックライト切れです。サービスセンタ…」（レターボックス９０４’）などと表示する。また、図３（Ａ）のレターボックス９０３についても、図７（Ａ）の例のように、このＯＳＤ表示をしてもよい。
【００５８】
図７（Ｂ）の実施例は、図４（Ｂ）の実施例に適用するＯＳＤ表示例を示している。ここで、図４（Ｂ）の実施例は、液晶ディスプレイ９が３つの冷陰極管９５１〜９５３を備える実施例であって、縦横のアスペクト比を保ったままスケール変更する実施例である。図４（Ｂ）の例では、レターボックス９０８を付加しているからこの領域にＯＳＤ表示９０８’を付加する。
【００５９】
なお、以上の実施例では、液晶ディスプレイ９が冷陰極管９５を２つまたは３つの場合を示したが、４つ以上の場合には、両端の冷陰極管９５１、９５Ｎ（Ｎは冷陰極管９５の数）が不点灯になった場合には、図６（Ｂ）の例を適用するか、または図７（Ａ）の例を応用する。中央の冷陰極管９５ｋ（ｋ＝２〜Ｎ）のいずれかが不点灯になった場合には、図６（Ｃ）または図７（Ａ）の例を適用すればよい。
【００６０】
次に、図８を用いて、第１の実施形態の応用に係る第２の実施形態の表示装置１Ａについて説明する。この表示装置では、受信部２、ＴＶデコーダ２５の代わりに、映像信号入力部２５１を備えている。映像信号入力部２５１は外部のＤＶＤレコーダ、ＰＣからデジタルの映像信号、音声信号を入力する。この実施形態でも、映像信号入力部２５１から入力した映像信号のコンテンツ全体を表示するため、第１実施形態の図２〜図４、図６〜図７の実施例を用いることができる。
【００６１】
なお、図８では、冷陰極管９５１、９５２を２本しか示していないが、もちろん、３本以上に拡張して、以上の実施例を適用することも可能である。
【００６２】
また、以上の説明では、バックライトとして冷陰極管９５１〜９５３を用いたが、液晶表面を複数の発光体で表示するものであればどのような発光源でも適用できる。以上の実施形態では、冷陰極管９５を縦方向に並べたが横方向に並べても、以上の説明の縦と横を逆にして適用すればよく、同様に適用できる。
【図面の簡単な説明】
【００６３】
【図１】第１実施形態のテレビ受像機の構成図
【図２】冷陰極管の不点灯時の表示例
【図３】冷陰極管の不点灯時の表示例
【図４】冷陰極管の不点灯時の表示例
【図５】冷陰極管の不点灯時の処理のフロー図
【図６】冷陰極管の不点灯時のＯＳＤ表示の例
【図７】冷陰極管の不点灯時のＯＳＤ表示の例
【図８】第１実施形態の応用にかかる第２実施形態の表示装置の構成図
【符号の説明】
【００６４】
１−液晶テレビ、  １Ａ−表示装置、
２−受信部、  ２１−チューナパック、  ２２−地上デジタルモジュール、
２５−ＴＶデコーダ、２６−スケーリング部、
４−第１セレクタ、  ５−ＯＳＤ合成部、
６１−Ｄ／Ａ変換器、  ６２−Ｄ／Ａ変換器、
７−制御部、  ７１−ＲＯＭ、  ７２−ＲＡＭ、
７３−不点灯時処理ルーチン、
８−操作部、  ８０−リモコン、  ８１−チャンネルアップキー、
９−液晶ディスプレイ、  ９０−表示パネル、  ９５１，９５２，９５３−冷陰極管、
９７−点灯駆動部、  ９８−不点灯検出部、  １０１−アンテナ
【図１】
2008244696.tif 000003
【図２】
2008244696.tif 000004
【図３】
2008244696.tif 000005
【図４】
2008244696.tif 000006
【図５】
2008244696.tif 000007
【図６】
2008244696.tif 000008
【図７】
2008244696.tif 000009
【図８】
2008244696.tif 000010